(57)【要約】【課題】本発明は魚釣用スピニングリールに関し、環状部材（硬質材リング）を取り付けた従来のスプールに改良を加え、スプールの大型化を防止しつつ、環状部材の確実な取付けを図って十分なスプール強度を確保したスピニングリールを提供することを目的とする。【解決手段】リール本体に、先端側にスプールを装着したスプール軸を軸方向へ往復動自在に支持したスピニングリールに於て、上記スプールの先端側外周に、環状部材が係止可能な係止部を形成すると共に、当該係止部に係止した環状部材の径方向先端とスプールの釣糸巻回胴部との間の糸巻範囲領域に位置するスプールの先端部に締結部材を取り付け、当該締結部材で、環状部材を係止部に固定したことを特徴とする。【選択図】      図２
2004147561.tif 000002
【特許請求の範囲】
【請求項１】
リール本体に、先端側にスプールを装着したスプール軸を軸方向へ往復動自在に支持した魚釣用スピニングリールに於て、
上記スプールの先端側外周に、環状部材が係止可能な係止部を形成すると共に、当該係止部に係止した環状部材の径方向先端とスプールの釣糸巻回胴部との間の糸巻範囲領域に位置するスプールの先端部に締結部材を取り付け、当該締結部材で、環状部材を係止部に固定したことを特徴とする魚釣用スピニングリール。
【請求項２】
締結部材は、スプールの軸心を中心にスプールの先端部に突設した環状突部に螺着する環状のナット部材であることを特徴とする請求項１記載の魚釣用スピニングリール。
【請求項３】
係止部は、スプールの前鍔部の径方向先端に設けられていることを特徴とする請求項１または請求項２記載の魚釣用スピニングリール。
【請求項４】
スプールの先端部中央に凹部が形成され、当該凹部内に、スプールとスプール軸を摩擦結合してスプールの回転に制動力を付与するドラグ装置が装着されていることを特徴とする請求項１乃至請求項３のいずれか１項に記載の魚釣用スピニングリール。
【発明の詳細な説明】
【０００１】
【発明の属する技術分野】
本発明は魚釣用スピニングリールに係り、詳しくはスプールの大型化を防止しつつ、スプールの強度を確保した魚釣用スピニングリールに関する。
【０００２】
【従来の技術】
従来周知のように魚釣用スピニングリール（以下、「スピニングリール」という）は、ロータに設けた一対の支持アームの先端に、半環状のベールが一対の支持部材を介して釣糸巻取り位置と釣糸放出位置とに反転自在に取り付き、スプールに釣糸を案内するラインローラが一方の支持部材に装着されている。
【０００３】
そして、ベールを釣糸放出位置へ倒して仕掛けを投擲すると、スプールに巻回された釣糸がスパイラル状に放出され、また、ベールを釣糸巻取り位置に反転させてハンドル操作で巻取りを行うと、ロータの回転に連動して前後方向へトラバース運動するスプールに、ラインローラを介して釣糸が巻回されるようになっている。
【０００４】
ところで、従来、釣糸放出時に、釣糸がスプールの前鍔部に接触した状態で勢いよく放出されることによって生ずる摩擦抵抗の影響で釣糸が切断したり飛距離が低下し、また、異物や水分を含む釣糸との摩擦で前鍔部が損傷してしまう虞があった。
そこで、斯かる実情に鑑み、最近のスピニングリールは、耐摩耗性に優れた硬質材リングをスプールの先端側外周に固着して、当該硬質材リング自体をスプールの前鍔部としたり、前鍔部の径方向先端に硬質材リングを取り付けて前鍔部の補強，釣糸に対する摩擦抵抗の軽減等を図っている（例えば、特許文献１，２参照。）。
【０００５】
【特許文献１】
特開２０００−２２４９４４号公報（段落番号「００１６」、第２図）
【特許文献２】
特開２００１−２６９０９９号公報（段落番号「００１４」、第１図）図４は特許文献１に開示されたスピニングリールの要部断面図を示し、図に於て、１はリール本体に回転不能且つ軸方向へ往復動自在に取り付くスプール軸で、その先端側にスプール３が回転可能に取り付き、そして、スプール３の先端部中央に設けた凹部５内に、当該スプール３とスプール軸１を摩擦結合してスプール３の回転に制動力を付与するドラグ装置７が装着されている。
【０００６】
そして、スプール３の先端側外周に設けた係止部９に硬質材リング１１が係止し、当該硬質材リング１１は、凹部５の内周に螺着したナット部材１３により係止部９に固定されてスプール３の前鍔部を構成している。
【０００７】
また、図示しないが特許文献２に開示された硬質材リングの取付構造は、前鍔部の径方向先端に係止部を形成して、当該係止部に係止する硬質材リングが、スプールの先端部中央の凹部に螺着したナット部材で固定されて、前鍔部の補強と釣糸に対する摩擦抵抗の軽減等を図っている。
【０００８】
【発明が解決しようとする課題】
而して、スプールへの釣糸の巻回に伴い、前鍔部にはスプールの軸方向に大きな糸巻圧力が加わるため、上述の如く硬質材リングを用いた従来例にあっては、ナット部材とこれが螺着する凹部内周との十分な螺合長さ（かかり長さ）やねじ谷部の肉厚を確保して、硬質材リングをスプールに強固に固定する必要がある。
【０００９】
しかし、斯様に螺合長さやねじ谷部の肉厚を大きく確保すると、スプールの前方側や釣糸巻回胴部が大型化し、また、ドラグ装置を収納する凹部の小径化によってドラグ制動面積が小さくなることから、硬質材リングを強固にスプールに固定するに当たり、スプールの大型化を防止しつつ、十分なドラグ制動力とスプール強度を確保することが難しいといった課題が残されていた。
【００１０】
本発明は斯かる実情に鑑み案出されたもので、上述の如き環状部材（硬質材リング）を用いた従来のスプールに改良を加え、スプールの大型化を防止しつつ、環状部材の確実な取付けを図って十分なスプール強度を確保したスピニングリールを提供することを第１の目的とする。
そして、本発明の第２の目的は、斯かる目的に加え、十分なドラグ制動力を確保したスピニングリールを提供することにある。
【００１１】
【課題を解決するための手段】
斯かる目的を達成するため、請求項１に係る発明は、リール本体に、先端側にスプールを装着したスプール軸を軸方向へ往復動自在に支持したスピニングリールに於て、上記スプールの先端側外周に、環状部材が係止可能な係止部を形成すると共に、当該係止部に係止した環状部材の径方向先端とスプールの釣糸巻回胴部との間の糸巻範囲領域に位置するスプールの先端部に締結部材を取り付け、当該締結部材で、環状部材を係止部に固定したことを特徴とする。
【００１２】
そして、請求項２に係る発明は、請求項１記載のスピニングリールに於て、締結部材は、スプールの軸心を中心にスプールの先端部に突設した環状突部に螺着する環状のナット部材であることを特徴とし、請求項３に係る発明は、請求項１または請求項２記載のスピニングリールに於て、係止部は、スプールの前鍔部の径方向先端に設けられていることを特徴とする。
【００１３】
また、請求項４に係る発明は、請求項１乃至請求項３のいずれか１項に記載のスピニングリールに於て、スプールの先端部中央に凹部が形成され、当該凹部内に、スプールとスプール軸を摩擦結合してスプールの回転に制動力を付与するドラグ装置が装着されていることを特徴としている。
【００１４】
（作用）
各請求項に係る発明によれば、環状部材を係止部に係止して締結部材（ナット部材）を取り付けることで、環状部材が締結部材によって係止部に固定される。
【００１５】
そして、釣糸放出時に、スプールに巻回された釣糸は環状部材に接触し乍ら勢いよく放出されるが、当該環状部材を取り付けたことにより、釣糸に対する摩擦抵抗が軽減して釣糸が切断したり飛距離が低下することがなく、また、環状部材が釣糸との摩擦による前鍔部の損傷を防止する。
また、スプールへの釣糸の巻回に伴い、環状部材にはスプールの軸方向に大きな糸巻圧力が加わるが、環状部材は締結部材によって係止部に強固に固定されているため、糸巻圧力によって環状部材が外れたりガタ付くことがない。
【００１６】
そして、請求項４に係る発明によれば、ドラグ装置を収納する凹部の小径化によるドラグ制動面積の減少といった不具合が防止できることとなる。
【００１７】
【発明の実施の形態】
以下、本発明の実施形態を図面に基づいて詳細に説明する。
【００１８】
図１乃至図３は請求項１乃至請求項４の一実施形態に係るスピニングリールを示し、図１に於て、２１は軸受２３を介してリール本体２５の前部に回転可能に軸支された中空なフライヤ軸で、その先端にロータ２７がナット２９で固定されている。そして、フライヤ軸２１の後端に取り付くピニオン３１に、ハンドル（図示せず）のハンドル軸３３に固着した駆動歯車３５が噛合しており、ハンドルの回転操作が駆動歯車３５，ピニオン３１からフライヤ軸２１に伝達されてロータ２７が回転する。
【００１９】
そして、ロータ２７の基部には、一対の支持アーム３７，３９がリール本体２５の前方へ一体に延設されており、それらの先端に半環状のベール４１が、ラインローラ４３を装着したベールアーム４５やベールホルダー４７等のベール支持部材を介して釣糸巻取位置と釣糸放出位置へ、夫々、反転自在に取り付けられている。
【００２０】
また、図中、４９はフライヤ軸２１を挿通してリール本体２５に取り付くスプール軸で、当該スプール軸４９は、その後端部に固着した摺動子５１やトラバースカム軸５３からなるトラバース機構５５により、ロータ２７の回転に連動してリール本体２５の前後方向へトラバース運動するようになっている。
そして、スプール軸４９のロータ２７側突出端に支持部材５７がピン５９により回止め固定され、当該支持部材５７の外周にスプール６１が回転可能に支持されている。
【００２１】
図２に示すようにスプール６１は前鍔部６３と釣糸巻回胴部６５と後鍔部（スカート部）６７とで構成され、釣糸巻回胴部６５は前鍔部６３から後鍔部６７に順次縮径する逆テーパ状に成形されている。そして、スプール６１の先端部中央に形成された凹部６９内に、上記支持部材５７とスプール６１とを摩擦結合してスプール６１の回転に制動力を付与する従来周知のドラグ装置７１が装着されており、釣糸巻回胴部６５の内周に形成された凹部６９の底部７３には、支持部材５７が挿通し、且つ当該支持部材５７の後端部外周に固定した圧接板７５に圧接する筒部７７が、支持部材５７に沿って形成されている。
【００２２】
そして、従来と同様、スプール６１の先端部に配置されたドラグノブ７９を締込み操作して、ドラグ装置７１のワッシャ群８１に加わる圧縮ばね８３のバネ力を調節すると、その締込み力に応じた押圧力でスプール６１がワッシャ群８１により圧接板７５に圧接されて回転が規制され、また、ドラグノブ７９を緩めると、その緩め具合に応じてスプール６１の回転が許容されるようになっている。
【００２３】
更にまた、支持部材５７の先端部には、ドラグ装置７１を含めたスプール６１全体をスプール軸４９に着脱させる従来周知の脱着装置８５が装置されており、当該着脱装置８５のボタン８７の押圧操作で、脱着装置８５側のロック８９とスプール軸４９先端のロック９１との係合が解除されてスプール６１全体が支持部材５７から取り外され、そして、支持部材５７に沿ってスプール６１を当該支持部材５７に挿入すると、両ロック８９，９１が係合してスプール６１が支持部材５７に回転可能に取り付くようになっている。
【００２４】
そして、本実施形態に係るスピニングリール９３は上述の如き従来と同様の構成に加え、以下の如き特徴を有する。
即ち、図３に示すようにスプール６１の先端側（前側）の径方向外方に直立状に形成された前鍔部６３の径方向先端に、係止部９５がスプール６１の前方に向かって設けられており、当該係止部９５に、図４の硬質材リング１１と同一材料で成形された硬質材リング（環状部材）９７がスプール６１の先端側から嵌合，係止している。
【００２５】
また、前鍔部６３の先端側（前側）には、外周にねじ部９９が螺刻された環状突部１０１がスプール６１の軸心を中心に突設されており、図示するように当該環状突部１０１は、係止部９５に係止した硬質材リング９７の径方向先端９７ａとスプール６１の釣糸巻回胴部６５との間の糸巻範囲領域Ｌに位置している。
そして、上記環状突部１０１に環状のナット部材（締結部材）１０３が螺着して、硬質材リング９７が当該ナット部材１０３を介して係止部９５に強固に固定されている。
【００２６】
本実施形態はこのように構成されているから、スプール６１の先端側から硬質材リング９７を係止部９５に嵌合，係止した後、環状突部１０１にナット部材１０３を螺着することで、硬質材リング９７が係止部９５に強固に固定される。
そして、従来のスピニングリールと同様、ベール４１を釣糸放出位置へ倒して仕掛けを投擲すると、スプール６１に巻回された釣糸がスパイラル状に放出され、また、ベール４１を釣糸巻取り位置に反転させてハンドル操作で巻取りを行うと、ロータ２７の回転に連動して前後方向へトラバース運動するスプール６１（釣糸巻回胴部６５）に、ラインローラ４３を介して釣糸が巻回される。
【００２７】
而して、釣糸放出時に、スプール６１に巻回された釣糸は、前鍔部６３の径方向先端に固着した硬質材リング９７に接触し乍ら勢いよく放出されるが、当該硬質材リング９７を取り付けたことにより、釣糸に対する摩擦抵抗が軽減して釣糸が切断したり飛距離が低下することがなく、また、硬質材リング９７が釣糸との摩擦による前鍔部６３の損傷を防止する。
【００２８】
また、スプール６１への釣糸の巻回に伴い、スプール６１の軸方向に大きな糸巻圧力が加わるが、スプール６１と一体形成された前鍔部６３と硬質材リング９７は、前鍔部６３の前側の環状突部１０１に螺着したナット部材１０３によって係止部９５に強固に固定されているため、糸巻圧力に対して十分強度的に維持できると共に、硬質材リング９７が外れたりガタ付くことがない。
【００２９】
而も、図４のスプール前側の釣糸巻回胴部の内側に締結部（螺合部）が形成される従来例と異なり、ナット部材１０３とこれが螺着する環状突部１０１のねじ谷部の肉厚を大きく確保しても、環状突部１０１を糸巻範囲領域Ｌ内の前鍔部６３の前側に形成したので、釣糸巻回胴部６５を大径化させる必要がないし、ドラグ装置７１を収納する凹部６９の大きさに影響を及ぼすことがない。
【００３０】
このため、ドラグ装置７１を収納する凹部６９の小径化によるドラグ制動面積の減少といった不具合が発生することがない。
従って、本実施形態によれば、スプール６１の大型化を防止し乍ら、硬質材リング９７を強固にスプール６１に固定して、十分なドラグ制動力とスプール強度を確保することが可能となった。
【００３１】
尚、上記実施形態は、所謂フロントドラグ式のスピニングリールについて本発明を説明したが、本発明に於ける硬質材リングの取付構造はリヤドラグ式のスピニングリールにも適用可能である。
即ち、リヤドラグ式のスピニングリールに於ては、スプールの先端部中央にスプールの脱着装置が装着されるが、本発明を当該スピニングリールに適用することで、ナット部材とこれが螺着する環状突部のねじ谷部の肉厚を大きく確保しても釣糸巻回胴部を大径化させる必要がなくなって、脱着装置をスプール内に装着するに当たり、スピニングリールの大型化を防止することができると共に、硬質材リングの確実な取付けを図って十分なスプール強度を確保することが可能となる。
【００３２】
また、上記実施形態は、前鍔部６３の径方向先端に硬質材リング９７を取り付けて前鍔部６３の補強，釣糸に対する摩擦抵抗の軽減等を図ったが、図４の従来例の如く硬質材リングをスプールの先端側外周に固着して、硬質材リング自体をスプールの前鍔部としたスピニングリールにも本発明を適用できることは勿論である。
【００３３】
而して、斯かる実施形態によっても、上記実施形態と同様、所期の目的を達成することが可能である。
更にまた、上記実施形態では、環状突部１０１の外周に螺刻したねじ部９９にナット部材１０３を螺着させた構造を採用したが、スプールの先端部に締結部材を取り付ける構造は、斯かるねじ止めに限定されるものではない。
【００３４】
【発明の効果】
以上述べたように、各請求項に係る発明によれば、スプールの大型化を防止し乍ら、環状部材を強固にスプールに固定して十分なスプール強度を確保することが可能となった。
そして、請求項４に係る発明によれば、ドラグ装置を収納する凹部の小径化によるドラグ制動面積の減少といった不具合が発生することがなくなり、十分なドラグ制動力を確保することができる利点を有する。
【図面の簡単な説明】
【図１】請求項１乃至請求項４の一実施形態に係るスピニングリールの要部切欠き正面図である。
【図２】図１のスピニングリールに装着したスプールの断面図である。
【図３】図２のＡ部拡大図である。
【図４】硬質材リングを前鍔部に用いた従来のスピニングリールのスプールの断面図である。
【符号の説明】
２１    フライヤ軸
２５  リール本体
２７  ロータ
３１  ピニオン
３３  ハンドル軸
３５  駆動歯車
３７，３９  支持アーム
４１  ベール
４３  ラインローラ
４５  ベールアーム
４７  ベールホルダー
４９  スプール軸
５５  トラバース機構
５７  支持部材
６１  スプール
６３  前鍔部
６５  釣糸巻回胴部
６７  後鍔部
６９  凹部
７１  ドラグ装置
８５  脱着装置
９３  スピニングリール
９５  係止部
９７  硬質材リング
９９  ねじ部
１０１  環状突部
１０３  ナット部材
Ｌ  糸巻範囲領域
【図１】
2004147561.tif 000003
【図２】
2004147561.tif 000004
【図３】
2004147561.tif 000005
【図４】
2004147561.tif 000006